(57)【要約】【課題】  印刷物や写真等のシート状物を収容し、シート状物が透過して見えるようにした容器蓋に関し、より見栄えの優れたものを提供すること。【解決手段】  この発明の容器蓋は、合成樹脂製の上板１と下板２との間に適宜のシート状物３を収容する隙間４を有し、シート状物３が上板１を透過して見えるようにした容器蓋であって、上板１の下面側または下板２の上面側の周縁部にパッキン５を装着するための突設部６を形成し、前記突設部６に下板２または上板１を接続しているものとしている。また、超音波溶着により、突設部６に下板２または上板１を接続したものとすることができる。さらに、突設部６と上板１の外周壁８との間にパッキン５を挿入して装着するようにしたものとすることもできる。【選択図】  図１
2005263307.tif 000002
【特許請求の範囲】
【請求項１】
合成樹脂製の上板（１）と下板（２）との間に適宜のシート状物（３）を収容する隙間（４）を有し、シート状物（３）が上板（１）を透過して見えるようにした容器蓋であって、上板（１）の下面側または下板（２）の上面側の周縁部にパッキン（５）を装着するための突設部（６）を形成し、前記突設部（６）に下板（２）または上板（１）を接続していることを特徴とする容器蓋。
【請求項２】
超音波溶着により、突設部（６）に下板（２）または上板（１）を接続している請求項１記載の容器蓋。
【請求項３】
突設部（６）と上板（１）の外周壁（８）との間にパッキン（５）を挿入して装着するようにしている請求項１又は２記載の容器蓋。
【発明の詳細な説明】
【技術分野】
【０００１】
この発明は、弁当箱その他適宜の合成樹脂製の容器の蓋に関するものである。
【背景技術】
【０００２】
従来、合成樹脂製の容器の容器蓋に関し、特許文献１に記載のような、蓋体とその上方に取り付けられる透明板との間に印刷物や写真等のシート状物を収容し、シート状物が透過して見えるようにしたものがあった。
【０００３】
このような容器蓋は、シート状物を種々の図柄、人物、風景等のデザインを表したものから適宜選択して収容することができるため、容易に様々なデザインに変更して実施することができ、低コストで消費者の多様な嗜好に適応したものとすることが可能であった。
【０００４】
しかし、前記蓋体と透明板との取り付け部分が外側から明りょうに見えるため、二重構造であることがはっきりとわかり、見栄えのよいものではなかった。
【特許文献１】特開２００２−３０６８８５号公報
【発明の開示】
【発明が解決しようとする課題】
【０００５】
そこで、この発明は、印刷物や写真等のシート状物を収容し、シート状物が透過して見えるようにした容器蓋に関し、より見栄えの優れたものを提供することを課題とする。
【課題を解決するための手段】
【０００６】
この発明の容器蓋は、合成樹脂製の上板１と下板２との間に適宜のシート状物３を収容する隙間４を有し、シート状物３が上板１を透過して見えるようにした容器蓋であって、上板１の下面側または下板２の上面側の周縁部にパッキン５を装着するための突設部６を形成し、前記突設部６に下板２または上板１を接続しているものとしている。
【０００７】
また、超音波溶着により、突設部６に下板２または上板１を接続したものとすることができる。
【０００８】
さらに、突設部６と上板１の外周壁８との間にパッキン５を挿入して装着するようにしたものとすることもできる。
【発明の効果】
【０００９】
この発明の容器蓋は、上述のような構成を有しており、上板１の下面側または下板２の上面側の周縁部に形成したパッキン５を装着するための突設部６に下板２または上板１を接続しているため、上板１と下板２との取り付け部分が外側から見えにくく、二重構造であることがあまり意識されることのない、見栄えのよいものとなっている。
【００１０】
さらに、超音波溶着により、突設部６に下板２または上板１を接続したものとすれば、突設部６と下板２または上板１とがしっかりと取り付けられ、防水性に優れたものとなる。
【００１１】
また、パッキン５は、突設部６と上板１の外周壁８との間に挿入して装着するようにすることにより、しっかりと保持される。
【発明を実施するための最良の形態】
【００１２】
この発明の容器蓋は、合成樹脂製の上板１と下板２との間に適宜のシート状物３を収容する隙間４を有し、シート状物３が上板１を透過して見えるようにした容器蓋であって、上板１の下面側または下板２の上面側の周縁部にパッキン５を装着するための突設部６を形成し、前記突設部６に下板２または上板１を接続したものとしている。
【００１３】
以下、この発明の好適な実施形態を、図面を参照して説明する。
【００１４】
図１は、この発明の第１実施形態の容器蓋の一部の縦断面図、図２は容器蓋を容器本体７に取り付けた状態の斜視図、図３は容器蓋と容器本体７の分解状態の斜視図である。
【００１５】
この第１実施形態の容器蓋は、弁当箱の一部として、容器本体７に取り付けて使用できるようにしたものとしている。容器蓋及び容器本体７は、ポリプロピレンその他適宜の合成樹脂製とすることができる。
【００１６】
この容器蓋は全体を透明な長円形状としており、上板１の外周全体にわたって下方に延びる外周壁８を設けている。また、突設部６は、上板１の下面側の周縁部に下方に延びるように設けられており、この突設部６の下端部に下板２を接続している。
【００１７】
図１に示したように、下板２は突設部６の下端部に接続されている。下板２の突設部６への接続は、超音波溶着により行うことができる。超音波溶着は、超音波の振動エネルギーにより突設部６と下板２との境界面で摩擦熱を発生させ、両者を溶着させることにより行うものである。なお、溶着箇所が多少白濁することもあるが、溶着箇所は上板１の下面側の下方に位置し、しかも上面からの距離が比較的長いので、あまり目立たない。
【００１８】
上板１と下板２との隙間４の大きさは、収容するシート状物３の厚みに応じて適宜設定することができる。
【００１９】
下板２は、上板１の突設部６の内側に収まる大きさの基部９と、基部９の外周全体にわたって下方に延びるように設けられた接続部１０からなる。接続部１０は、下方に向かって突設部６に接近するように傾斜しており、その先端部が突設部６の下端部に接続している。この接続部１０の先端部は、突設部６の下端部の下端面と内側の側面の２つの面で接するようになっている。
【００２０】
この容器蓋には、下面側において突設部６に沿ってパッキン５を装着している。パッキン５は輪状で、上板１の外周壁８と突設部６との間の溝状の部分に挿入されて装着される。パッキン５はシリコンゴム製とすることができる。
【００２１】
また、シート状物３は、紙やフィルム等に適宜の図柄、人物、風景等のデザインを表した印刷物や写真とすることができる。
【００２２】
図２及び図３に示したように、容器蓋の外周壁８には、両側の長辺部分に容器本体７に固定するための固定具１１が設けられている。固定具１１は、四角形の板状で、上端側が外周壁８に設けた取付部１２に回動可能に取り付けられており、下端側に内側に突出する掛け部１３が形成されたものとしている。
【００２３】
容器本体７は横断面を長円形状とした大容器１４と小容器１５からなり、大容器１４の底部が小容器１５の上端部の内側に嵌るようにした２段重ねの構成としている。大容器１４の底部には、その外周の内側に下方に延びる突設部１６が形成されており、大容器１４の底部が小容器１５の上端部に支持されるとともに前記突設部１６が小容器１５の上端部の内側に嵌るようになっている。
【００２４】
大容器１４と小容器１５の各上端部には外方に突出するフランジ１７，１８が形成されており、大容器１４のフランジ１７には容器蓋の外周壁８が外側から嵌合し、小容器１５のフランジ１８には容器蓋の固定具１１の掛け部１３が下方から掛かるようにしている。
【００２５】
また、この弁当箱の使用後は、大容器１４の上から小容器１５を重ねて収容し、コンパクトにすることができるようになっている（図示せず）。
【００２６】
この容器蓋は、以上のように、上板１と下板２とが、パッキン５を装着するための突設部６を介して接続されているため、上板１と下板２との接続部分が目立たず、見栄えの良いものとなっている。
【００２７】
また、この容器蓋は、一重構造の容器蓋に下板２を付設して二重構造とした構成となっているため、一重構成の容器蓋の金型が既存であれば、これを利用してまず一重構造の容器蓋を作製し、その後に下板２を付設して製造することが可能であるので、新たに金型を作製する必要がない。
【００２８】
図４〜図６は、この発明の第２〜４実施形態の容器蓋の一部の縦断面図である。図４に示した第２実施形態は、上板１の下面側と下板２の上面側の周縁部にそれぞれパッキン５を装着するための突設部６，６を形成し、これら両突設部６,６を超音波溶着により溶着して上板１と下板２とを接続している。上板１の下面側の突設部６は、上板１の下面の周縁部から下方に延びるように設けられており、下板２の上面側の突設部６は、接続部１０の先端部から下方に延びるように設けられており、上板１の下面側の突設部６の下端部と、下板２の接続部１０の先端部ないし上面側の突設部６の上端部とが溶着されている。その他の構成は、前記第１実施形態と同様とすることができる。
【００２９】
図５に示した第３実施形態は、下板２の下面側の周縁部にパッキン５を装着するための突設部６を形成し、前記突設部６に上板１を接続している。この実施形態では、下板２は基部９の周囲に突設部６を有する構成としており、前記突設部６は下方に延びるように設けられており、この突設部６の上端部が上板１の周縁部の少し内側部分に溶着されている。その他の構成は、前記第１実施形態と同様とすることができる。
【００３０】
図６に示した第４実施形態は、下板２の上面側の周縁部にパッキン５を装着するための突設部６を形成し、前記突設部６に上板１を接続している。この実施形態では、下板２は基部９の周囲に突設部６を有する構成としており、前記突設部６は上方に延びるように設けられており、この突設部６の上端部が上板１の周縁部の少し内側部分に溶着されている。また、上板１と下板２との隙間４の大きさが比較的長くなるため、前記突設部６の内側に、上方に延びる支持壁１９を設け、シート状物３を上板１に近い位置で支持するようにしている。
【００３１】
以上のように、この発明の容器蓋は、様々な態様で実施することができる。また、形状や材質等も上記の実施形態に限定されない。
【産業上の利用可能性】
【００３２】
弁当箱、裁縫箱その他適宜の合成樹脂製の容器の蓋として利用することが可能である。
【図面の簡単な説明】
【００３３】
【図１】この発明の第１実施形態の容器蓋の一部の縦断面図である。
【図２】この発明の第１実施形態の容器蓋を容器本体に取り付けた状態の斜視図である。
【図３】この発明の第１実施形態の容器蓋と容器本体の分解状態の斜視図である。
【図４】この発明の第２実施形態の縦断面図である。
【図５】この発明の第３実施形態の縦断面図である。
【図６】この発明の第４実施形態の縦断面図である。
【符号の説明】
【００３４】
１  上板
２  下板
３  シート状物
４  隙間
５  パッキン
６  突設部
８  外周壁
【図１】
2005263307.tif 000003
【図２】
2005263307.tif 000004
【図３】
2005263307.tif 000005
【図４】
2005263307.tif 000006
【図５】
2005263307.tif 000007
【図６】
2005263307.tif 000008